(57)【特許請求の範囲】
【請求項１】
既設のケーブル収容管内のケーブルに対する各種作業を行うためにケーブル収容管の所定範囲を筒状に切り取るために使用するケーブル収容管切断装置であって、
前記ケーブル収容管の外周面に添わせたまま周方向へ一定の回転角度で反復操作可能な本体と、この本体に設けられた固定ホルダー及び可動ホルダーと、前記ケーブル収容管の外周面を巻くように取り回すことが可能なチェーンと、このチェーンの長さ方向に沿って設けられた多数の鋸歯状のカッターとを備え、チェーンを各カッターが内側に位置するように前記ケーブル収容管の外周面に取り回した状態で、チェーンの両端部を固定ホルダー及び可動ホルダーに対して個々に連結でき、かつその状態で可動ホルダーを移動調整することによってチェーンをケーブル収容管の外周に対して締め付け可能に構成されているとともに、固定ホルダーとチェーンの端部とがテンションスプリングを介して結合され、ケーブル収容管の切り込み時におけるスプリングの伸び量が規制されているケーブル収容管切断装置。
【請求項２】
請求項１記載のケーブル収容管切断装置であって、
チェーンがケーブル収容管に対する各カッターの切り込みを規制するストッパー機能を有し、かつチェーンからの各カッターの突出量がケーブル収容管の肉厚とほぼ等しく設定されているケーブル収容管切断装置。
【発明の詳細な説明】
【０００１】
【発明の属する技術分野】
本発明は、ケーブル収容管が布設された既設の管路区間に新たなマンホールやハンドホールを構築する際に、ケーブル収容管の所定範囲を筒状に切り取るために使用するケーブル収容管切断装置に関する。
【０００２】
【従来の技術】
従来、この種の切断装置としては、円盤状のカッターをケーブル収容管の外周面に押し付けながら周方向へ転がり移動させることにより、ケーブル収容管を切断する構成のものが一般的である。例えば図８，９は従来のラチェット式切断装置を表した構成図である。これらの図面で示すように切断装置の本体５０は、ほぼ半円形状をした二部品の一端同士が結合ボルト５２によって回転動作可能に連結された構成となっている。したがって本体５０の開放端側に設けられた調整ボルト５４の操作により、本体５０の全体的な径の縮小あるいは拡大が可能となっている。また本体５０には、円盤形状をした1個のカッター５６と、2個のローラ５８とが相対向する位置においてそれぞれ回転自在に設けられている。
【０００３】
そこで図９に示すケーブル収容管４０を切断するには、まず図９（Ａ）で示すように本体５０をケーブル収容管４０の外周にセットし、前記調整ボルト５４を締め付けてカッター５６をケーブル収容管４０の外周面に強く押し付ける。なおこれに伴う反力は、ケーブル収容管４０の外周面に接触している両ローラ５８によって受けもたれる。この状態において図７で示すラチェット部６０をハンドルレバー６２により一定の回転角度で反復操作することにより、本体５０が一方向へ回転してカッター５６によるケーブル収容管４０の切削が進められていく。そして切削抵抗が小さくなったら、その度に調整ボルト５４を締め付けては切削を繰り返すことにより、やがては図９（Ｂ）で示すようにケーブル収容管４０が切断される。
【０００４】
【発明が解決しようとする課題】
ところで既設の管路区間においては、複数本のケーブル収容管４０が1cm程度の隙間で密に配置されているのが普通である。しかし前記切断装置の本体５０をケーブル収容管４０の外周にセットするには、管相互の隙間が少なくとも3.5cm程度は必要である。したがって管の隙間を確保するために間隔拡張用の専用工具が必要であり、それでも必要な隙間を確保できないときはケーブル収容管４０の撓み量を大きくするために、マンホールなどの掘削範囲を拡張している。また管の隙間を押し広げるときの無理な外力によってケーブル収容管４０が変形し、これが原因となって切断作業における部分的な切り残しが生じたり、極端な場合はケーブル収容管４０に対する本体５０のセット自体が不能となる。
【０００５】
本発明は前記課題を解決しようとするもので、その目的は、既設のケーブル収容管の隙間が僅かであっても容易にセット可能とし、管の間隔を大きく拡張するための専用工具や手間を省くとともに、仮にケーブル収容管の切断箇所に変形があっても適正な切断作業を可能とすることである。
【０００６】
【課題を解決するための手段】
本発明は前記目的を達成するためのもので、請求項１記載の発明は、既設のケーブル収容管内のケーブルに対する各種作業を行うためにケーブル収容管の所定範囲を筒状に切り取るために使用するケーブル収容管切断装置であって、前記ケーブル収容管の外周面に添わせたまま周方向へ一定の回転角度で反復操作可能な本体と、この本体に設けられた固定ホルダー及び可動ホルダーと、前記ケーブル収容管の外周面を巻くように取り回すことが可能なチェーンと、このチェーンの長さ方向に沿って設けられた多数の鋸歯状のカッターとを備え、チェーンを各カッターが内側に位置するように前記ケーブル収容管の外周面に取り回した状態で、チェーンの両端部を固定ホルダー及び可動ホルダーに対して個々に連結でき、かつその状態で可動ホルダーを移動調整することによってチェーンをケーブル収容管の外周に対して締め付け可能に構成されている。また、固定ホルダーとチェーンの端部とがテンションスプリングを介して結合され、ケーブル収容管の切り込み時におけるスプリングの伸び量が規制されている。
【０００７】
本発明によれば、ケーブル収容管の切断作業に際してはチェーンをケーブル収容管の外周面に取り回して締め付けることで切断装置をセットでき、このチェーンとともに本体を反復操作することにより前記の各カッターでケーブル収容管を切断することができる。したがって、複数本のケーブル収容管が密に配置されていても、一つの管の外周にチェーンを取り回すのに必要な隙間は僅かで済み、管相互の間隔を無理に大きく拡張する手間を省くことができる。また、ケーブル収容管の切断箇所に変形があっても、その形状にチェーン及び各カッターが容易になじんで切断することができ、管の変形に伴う切り残しなどが解消される。
しかも、ケーブル収容管の切り込み時にはテンションスプリングによってチェーンに所定のテンションが確保され、反対の戻し時にはテンションスプリングが伸びることにより、チェーンに対するテンションが小さくなって負荷の小さいスムースな動きとなる。
【０００８】
請求項２記載の発明は、請求項１記載のケーブル収容管切断装置であって、チェーンがケーブル収容管に対する各カッターの切り込みを規制するストッパー機能を有し、かつチェーンからの各カッターの突出量がケーブル収容管の肉厚とほぼ等しく設定されている。
これにより、ケーブル収容管の肉厚に対する各カッターの余分な切り込みが規制され、内部のケーブルの損傷を防止できる。
【００１０】
【発明の実施の形態】
以下、本発明の実施の形態を説明する。
図１はケーブル収容管切断装置の本体１０を表した外観図、図２は図１のＣ−Ｃ線断面図である。また図３はケーブル収容管切断装置のチェーン３２を表した外観図である。まず本体１０は、先端（下端）にガイド部１２が一体に形成されたレバー部１３を備えている。このレバー部１３は、左右一対の部材間の上下二箇所に軸受け部１４，１５をそれぞれ介在して一体化した構造であり、したがってガイド部１２についても一対の部材が所定の間隔をもって左右両側に配置された格好になっている。またこのガイド部１２の下面は切断の対象であるケーブル収容管４０の外周面に添わせることが可能な円弧状になっている。
【００１１】
前記レバー部１３の内側には、前記の両軸受け部１４，１５によって軸心回りの回転自在に支持されたスクリュー軸１８が設けられている。このスクリュー軸１８の上端部はレバー部１３から上方に突き出ており、そこにグリップ２０が結合されている。なお前記軸受け部１４の上面とグリップ２０の端面との間にはスラストベアリング２２を介在させ、かつ軸受け部１４の下面に対してはスクリュー軸１８とねじ合わされたロックナット２４がワッシャ群２６を介在して締め付けられている。
【００１２】
前記レバー部１３における前面側の上部寄りには、固定ホルダー２８が取り付けられている。またレバー部１３の内側にはスクリュー軸１８とねじ合わされた可動ホルダー３０が設けられ、この可動ホルダー３０はスクリュー軸１８の軸心回りの回転操作によりレバー部１３の内面に沿って上下方向へ移動する。
前記チェーン３２は、図３で示すようにケーブル収容管４０の外周面を巻くように取り回すことができる長さを有し、その一端にはテンションスプリング３７が連結されている。またチェーン３２には、その長さ方向に沿って多数のカッター３８が設けられている。
【００１３】
図４はチェーン３２の一部を表した斜視図であって、図４（Ａ）は組み付けた状態を、図４（Ｂ）は分解状態を表している。これらの図面から明らかなようにチェーン３２は二列のチェーンリンク３３の繋がりによって構成されており、これらの列の間に鋸歯状のカッター３８を挟んで取り付けた構造になっている。すなわち図４（Ｂ）で示すように各カッター３８にあけられている2個の孔３９に対し、チェーンリンク３３を連結するための各チェーンピン３４を挿通させ、これらのチェーンピン３４の先端部にピンプレート３５を取り付け、かつコッター３６によって抜け止めをしている。なおチェーンリンク３３からの各カッター３８の突出量は、切断の対象となるケーブル収容管４０の肉厚とほぼ等しく設定されている。
【００１４】
図５は切断装置をケーブル収容管４０にセットした状態の外観図、図６は図５の一部を拡大して表した斜視図である。セットに際しては図５で示すように、まずチェーン３２を各カッター３８が内側に位置するようにケーブル収容管４０の外周面に取り回す。そしてこのチェーン３２の一端に結合されているテンションスプリング３７のフック３７ａを固定ホルダー２８に連結し、かつチェーン３２の他端を可動ホルダー３０に連結する。ここで前記グリップ２０の操作により、可動ホルダー３０をレバー部１３の内面に沿って上方向へ移動させるようにスクリュー軸１８を回転させる。これによってチェーン３２が締め付けられ、各カッター３８の鋸歯がケーブル収容管４０の外周面に押し付けられるとともに、ガイド部１２の下面もケーブル収容管４０の外周面に添わせた状態に保持される。
【００１５】
図６から明らかなように前記ガイド部１２における前端側の上面にはチェーンストッパ１２ａが形成されており、固定ホルダー２８側のチェーン３２の端部には両側に張り出した係止部３２ａが構成されている。したがって図６においてチェーン３２を引き下げる方向の引っ張り力が働いてテンションスプリング３７が伸びても、このときの伸び量は前記係止部３２ａがチェーンストッパ１２ａで受け止められることで規制される。なおこの方向の引っ張り力がチェーン３２に作用するのは、後述するように各カッター３８によるケーブル収容管４０の切り込み時である。
【００１６】
図７は既設の管路区間に布設された複数本のケーブル収容管４０を表した斜視図である。そこで、この管路区間に新たなマンホールやハンドホールを構築するために、各ケーブル収容管４０を所定範囲で切り取る作業について説明する。すでに説明したように各ケーブル収容管４０の間隔は1cm程度であるため、図７（Ａ）で示すようにケーブル収容管４０の相互間にクサビ４４を打ち込み、相互間の間隔を1.6cm程度に拡げる。この状態で前記のように切断装置を一本のケーブル収容管４０にセットする。このセットに際し、ケーブル収容管４０の外周にチェーン３２を取り回すのに必要な隙間は1.6cm程度で充分であり、専用工具などを使って大きく拡張する作業は不要である。
【００１７】
さて前記のようにセットされた切断装置のレバー部１３をケーブル収容管４０の周方向へ一定の回転角度で反復操作することにより、チェーン３２がケーブル収容管４０の外周面に沿って反復動作し、各カッター３８によるケーブル収容管４０の切削が行われる。なお必要に応じて切削面に適量の潤滑油を塗布する。そして切削が進んで抵抗感がなくなってきたら、前記のようにグリップ２０を操作することでチェーン３２を締め付けて切削作業をつづける。
【００１８】
そしてチェーン３２を構成している前記チェーンリンク３３がケーブル収容管４０の外周面に接触したら、このケーブル収容管４０における外周のほぼ半分が切断されたことになる。そこで切断装置をケーブル収容管４０から一旦取り外して本体１０を反転させて再びセットし、前記と同様の切断作業を行って外周の残り半分を切断する。このようにしてケーブル収容管４０をその長さ方向の二箇所において切断することにより、その部分を筒状に切り取った後、それを適当な手段で縦割りにして除去する。これによって図７（Ｂ）で示すようにケーブル収容管４０の内部に位置している光ケーブルなどのケーブル群４２が露出し、その分岐作業などが可能となる。
【００１９】
以上の切断作業において、チェーン３２及び各カッター３８はケーブル収容管４０の外周形状に容易になじむので、このケーブル収容管４０に変形などがあっても、それに伴う切り残しなどが解消される。またチェーン３２における各チェーンリンク３３からの各カッター３８の突出量がケーブル収容管４０の肉厚とほぼ等しく設定されているため、これらのチェーンリンク３３がカッター３８による余分な切り込みを規制するストッパーとして機能し、前記ケーブル群４２の損傷を防止できる。
【００２０】
さらにチェーン３２の一端と固定ホルダー２８とはテンションスプリング３７によって連結されているとともに、このテンションスプリング３７は、図５においてレバー部１３を反時計回り方向へ回転操作する切り込み時の伸び量が前記係止部３２ａとチェーンストッパ１２ａとによって規制される。したがってこの切り込み時においてはチェーン３２に対するテンションが適正に確保されてカッター３８による切削が良好に行われる。そしてレバー部１３を時計回り方向へ操作する戻し時には、テンションスプリング３７が引っ張り力に応じて伸びることによってチェーン３２に作用するテンションが比較的小さくなり、スムースな動きとなる。
【図面の簡単な説明】
【図１】ケーブル収容管切断装置の本体を表した外観図。
【図２】図１のＣ−Ｃ線断面図。
【図３】ケーブル収容管切断装置のチェーンを表した外観図。
【図４】チェーンの一部を表した斜視図。
【図５】切断装置をケーブル収容管にセットした状態の外観図。
【図６】図５の一部を拡大して表した斜視図。
【図７】既設の管路区間のケーブル収容管を表した斜視図。
【図８】従来のラチェット式切断装置を表した斜視図。
【図９】同じく従来のラチェット式切断装置の一部を表した構成図。
【符号の説明】
１０  本体
２８  固定ホルダー
３０  可動ホルダー
３２  チェーン
３７  テンションスプリング
３８  カッター
４０  ケーブル収容管
【図１】
0004139875.tif 000002
【図２】
0004139875.tif 000003
【図３】
0004139875.tif 000004
【図４】
0004139875.tif 000005
【図５】
0004139875.tif 000006
【図６】
0004139875.tif 000007
【図７】
0004139875.tif 000008
【図８】
0004139875.tif 000009
【図９】
0004139875.tif 000010